(57)【要約】【課題】従来のペット用トイレは臭気ガスが漏れ出す、用便したペットが付臭される、清掃等により上部箱体を取り外すと臭気ガスが一気に放出さる不満があり、臭気ガスを屋外へ排出するものは外壁に穴を開ける必要がある。【解決手段】本発明は、排気により箱体内に生成する気流を検討して、箱体内の糞尿から発散する臭気ガスの発散方向に対向する気流により、臭気ガスを発散源直近から床面下部に排気する構造によって箱体内に臭気ガスが滞留しないことから、箱体内の臭気ガス汚染、臭気ガスの漏れ出しによる周辺の汚染及び、箱体内に滞留する臭気ガスによる用便したペットへの付臭によりペットから糞尿臭が発散する不満を原因から取り除くことができる。さらに、ガス処理槽を内蔵させたものは上記に加え、外壁に穴を開ける必要がなく設置性が改善され、移動性と快適性を併せ持つペット用トイレを提供することができる。【選択図】図６
2006296288.tif 000002
【特許請求の範囲】
【請求項１】
通気・通水性の床面及び排気用ファンを内蔵し、床面上に排泄された糞尿から発散する臭気ガスを通気・通水性の床面を通過させて排気することを特徴とするペット用トイレ。
【請求項２】
通気・通水性の床面、ガス処理槽及び排気用ファンを内蔵し、床面上に排泄された糞尿から発散する臭気ガスを通気・通水性の床面を通過させて排気し、排気をガス処理槽において処理し、処理ガスを排出することを特徴とするペット用トイレ。
【請求項３】
通気・通水性の床面、ガス処理槽及び排気用ファンを内蔵する箱体で、床面上に排泄された糞尿から発散する臭気ガスを通気・通水性の床面を通過させて排気し、排気をガス処理槽において処理し、処理ガスの全量または一部を箱体に戻し循環させることを特徴とするペット用トイレ。
【請求項４】
請求項１、２、３の特徴を有するペット用トイレの備品。
【発明の詳細な説明】
【技術分野】
【０００１】
本発明は、ペットの糞尿から発散する臭気ガスによるペット用トイレ内の臭気ガス汚染をなくすことにより、臭気ガスの漏れ出しによる周辺の臭気ガス汚染の防止及び用便するペットへの付臭を防止する装置に関する。
【背景技術】
【０００２】
従来の発明には、箱体により糞尿から発生する臭気ガスを遮蔽して周辺の臭気ガス汚染の低減を図るペット用トイレがある（特許文献１参照）。また、箱体により糞尿から発生する臭気ガスを遮蔽して周辺の臭気ガス汚染の低減を図ることに併せ、箱体に臭気ガス処理剤等を設け箱体内に滞留した臭気ガス濃度を低減させるペット用トイレがある（特許文献２参照）。さらに、箱体により糞尿から発生する臭気ガスを遮蔽して周辺の臭気ガス汚染の低減を図ることに併せ、ペット用トイレ本体フードの上端に設けた屋外と連通する穴とをパイプ、ホース等の管体を介して連結し、ペット用トイレ本体内の臭気ガスを屋外に吸入排出するペット用トイレがある（特許文献３参照）。
【０００３】
【特許文献１】登録実用新案第３００８５３０号
【特許文献２】特許公開２００２−３４５９３２
【特許文献３】特許公開２００１−７０
【発明の開示】
【発明が解決しようとする課題】
【０００４】
箱体により糞尿から発生する臭気ガスを遮蔽して周辺汚染の低減を図るペット用トイレは、箱体内に糞尿から発生する臭気ガスが高濃度で滞留することから、箱体の隙間やペットの出入りにより箱体内の高濃度臭気ガスが箱体外に漏れ出し、箱体周辺が臭気ガスにより汚染される不満がある。
【０００５】
箱体により糞尿から発生する臭気ガスを遮蔽して周辺汚染の低減を図るペット用トイレは、箱体内に糞尿から発生する臭気ガスが高濃度で滞留することから、箱体内で用便したペットが高濃度の臭気ガスにより付臭されペットから糞尿臭が発散する不満がある。
【０００６】
箱体により糞尿から発生する臭気ガスを遮蔽して周辺汚染の低減を図るペット用トイレは、箱体内に糞尿から発生する臭気ガスが高濃度で滞留することから、清掃等により上部箱体を取り外した時に、箱体内に滞留している高濃度臭気ガスが一気に放出され、箱体周辺が高濃度臭気ガスにより著しく汚染される不満がある。
【０００７】
箱体により糞尿から発生する臭気ガスを遮蔽して周辺汚染の低減を図ることに併せ、箱体に臭気ガス処理剤等を設け箱体内に滞留した臭気ガス濃度を低減させるペット用トイレは、糞尿から発生して箱体内に滞留した臭気ガスの逐次処理であることから、箱体内の臭気ガス濃度を低減できるが臭気ガスの滞留をなくすものでないため、箱体内の臭気ガスが箱体の隙間やペットの出入りにより箱体外に漏れ出し、箱体周辺が臭気ガスにより汚染される不満が解消されない。
【０００８】
箱体により糞尿から発生する臭気ガスを遮蔽して周辺汚染の低減を図ることに併せ、箱体に臭気ガス処理剤等を設け箱体内に滞留した臭気ガス濃度を低減させるペット用トイレは、糞尿から発生して箱体内に滞留した臭気ガスの逐次処理であることから、箱体内の臭気ガス濃度を低減できるが臭気ガスの滞留をなくすものでないため、箱体内で用便したペットが臭気ガスにより付臭されペットから糞尿臭が発散する不満が解消されない。
【０００９】
箱体により糞尿から発生する臭気ガスを遮蔽して周辺汚染の低減を図ることに併せ、箱体に臭気ガス処理剤等を設け箱体内に滞留した臭気ガス濃度を低減させるペット用トイレは、糞尿から発生して箱体内に滞留した臭気ガスの逐次処理であることから、箱体内の臭気ガス濃度を低減できるが臭気ガスの滞留をなくすものでないため、清掃等により上部箱体を取り外した時に箱体内に滞留している臭気ガスが一気に放出され、箱体周辺が臭気ガスにより汚染される不満が解消されない。
【００１０】
箱体により糞尿から発生する臭気ガスを遮蔽して周辺汚染の低減を図ることに併せ、ペット用トイレ本体フードの上端に設けた屋外と連通する穴から臭気ガスを屋外に吸入排出するペット用トイレは、開口部から流入した空気の大部分が箱体内の受容器上にある糞尿から発散する臭気ガスの排出に関与せずに箱体内を素通りするため排気に無駄が多い不満がある。
【００１１】
箱体により糞尿から発生する臭気ガスを遮蔽して周辺汚染の低減を図ることに併せ、ペット用トイレ本体フードの上端に設けた屋外と連通する穴から臭気ガスを屋外に吸入排出するペット用トイレは、排気に無駄が多いことから排気量を多大としないと臭気ガスが箱体内に拡散滞留し、滞留した臭気ガスが箱体外へ漏洩して箱体周辺が臭気ガスにより汚染される不満がある。
【００１２】
箱体により糞尿から発生する臭気ガスを遮蔽して周辺汚染の低減を図ることに併せ、ペット用トイレ本体フードの上端に設けた屋外と連通する穴から臭気ガスを屋外に吸入排出するペット用トイレは、排気に無駄が多いことから排気量を多大としないと臭気ガスが箱体内に拡散滞留し、滞留した臭気ガスにより用便したペットが付臭され、ペットから糞尿臭が発散する不満がある。
【００１３】
ペット用トイレ本体内の臭気ガスを屋外に吸入排出するペット用トイレは、箱体内のガスを屋外に排出するために外壁等に穴を開けなければならない不満がある。
【００１４】
ペット用トイレ本体内の臭気ガスを屋外に吸入排出するペット用トイレは、箱体内の臭気ガスを屋外に排出するためにダクトを接続することから、ペット用トイレの設置位置が外壁に開けた穴付近に制約される不満がある。
【００１５】
ペット用トイレ本体内の臭気ガスを屋外に吸入排出するペット用トイレは、排出先の屋外において臭気ガスによる汚染が発生する不満がある。
【００１６】
箱体により糞尿から発生する臭気ガスを遮蔽して周辺汚染の低減を図ることに併せ、ペット用トイレ本体フードの上端に設けた屋外と連通する穴から臭気ガスを屋外に吸入排出するペット用トイレは、清掃等により上部箱体を取り外すと糞尿から発生する臭気ガスを排気する機能を失い、臭気ガスが一気に放出され箱体周辺が臭気ガス汚染される不満がある。
【００１７】
本発明はこのような点に鑑み成されたものであり、臭気ガスの漏れ出しによる周辺の臭気ガス汚染及び用便するペットへの付臭を防止できるペット用トイレを提供することを課題とする。
【課題を解決するための手段】
【００１８】
本発明は、汚染防止は発生源に近い所で実施するほど効果が高くなる一般原則に基づき、ペット用トイレ内に適切な気流を生成させて、糞尿から発散する臭気ガスを発生源直近から床面下部に排出する構造により臭気ガスの滞留をなくし、ペット用トイレ内の臭気ガスの漏れ出しによる周辺の臭気ガス汚染及びペット用トイレ内の臭気ガスによるペットへの付臭を原因から排除するものである。
【００１９】
従来の、臭気ガスを屋外に吸入排出するペット用トイレは、ペット用トイレ本体フードの上端に設けた屋外と連通する穴から排気しており、図１のベクトル線図に示す気流が生成されることから、箱体の開口部から流入した気体の大部分が箱体内の床部にある糞尿から発散する臭気ガスの排出に関与せずに箱体内を素通りする。
【００２０】
本発明の、臭気ガスを通気・通水性の床面を通過させて排気するペット用トイレは、図２のベクトル線図に示す気流が生成され、床部にある糞尿から発散する臭気ガスが発散する方向に対向する気流により、臭気ガスが発散源直近から床面下部に排気されることにより箱体内に臭気ガスが滞留しない結果、箱体内の臭気ガス汚染がなくなり、箱体外への臭気ガスの漏れ出し及びペット用トイレ内で用便するペットへの付臭を原因から取り除くことができる。
【００２１】
本発明によるペット用トイレの箱体内の気流は、糞尿に新鮮な気体が接触して流れることから糞尿の乾燥が促進され、臭気ガスの発生を抑制できる。
【００２２】
従来の、ペット用トイレの本体フードの上端に設けた屋外と連通する穴から排気するペット用トイレは、清掃等により本体フードを撤去すると排気効果が全く失われ、箱体周辺が臭気ガスにより汚染される不満がある。
【００２３】
床面より上部から排気する構造においては、床面の端部に臭気ガスの吸引部を設置し固定したとしても、清掃等により上部箱体を撤去すると図３のベクトル線図に示す気流を生成することから排気による周辺の臭気汚染を抑制する効果が期待できない。
【００２４】
本発明の、通気・通水性の床面を通過させて排気する構造のペット用トイレは、上部箱体を撤去しても図４のベクトル線図に示す気流を生成することから臭気ガスを排出する機能が保持され、清掃等により上部箱体を撤去したときにおいても臭気ガスによる箱体周辺の汚染を抑制できる。
【００２５】
請求項２のペット用トイレはガス処理槽を内蔵して臭気ガスを処理することから、糞尿から発散する臭気ガスを屋外に排気する必要がなくなり、外壁等に穴をあける必要がない。
【００２６】
請求項２のペット用トイレは臭気ガスを屋外に排気するダクトの接続を要しないことから、ペット用トイレを外壁に開けた穴付近に置く必要がなく、設置性、移動性に優れたペット用トイレを提供できる。
【００２７】
請求項２のペット用トイレは糞尿から発散する臭気ガスを屋外に排気しないことから、屋外の臭気ガス汚染が発生しない。
【００２８】
請求項３のペット用トイレは、図５のベクトル線図に示す気流が生成され、床部にある糞尿から発散する臭気ガスが発散する方向に対向する気流により、臭気ガスが発散源直近から床面下部に排気されることにより箱体内に臭気ガスが滞留しない結果、箱体内の臭気ガス汚染がなくなり、箱体外への臭気ガスの漏れ出し及びペット用トイレ内で用便するペットへの付臭を原因から取り除くことができる。
【００２９】
請求項３のペット用トイレは、ガス処理槽を通過させて処理した処理ガスの全量または一部をペット用トイレ箱体内に戻し循環させる構造としたことにより、ペット用トイレ外に排出する処理ガスの量を少なくできる。
【発明の効果】
【００３０】
本発明はペット用トイレ内に適切な気流を生成させて、ペット用トイレ内の糞尿から発散する臭気ガスが発散する方向に対向する気流により、臭気ガスを発生源直近から床面下部に排出する構造としたことから、臭気ガスがペット用トイレ内に滞留しない結果、箱体内の臭気ガス汚染がなくなり、箱体外への臭気ガスの漏れ出しによる周辺の汚染及び用便するペットへの付臭を原因から排除できることに併せ、設置性、移動性に優れたペット用トイレを提供できる。
【発明を実施するための最良の形態】
【００３１】
本発明のペット用トイレは下部箱体１３０、下部箱体の上面に被着し脱着自在に構成された通気・通水性の床部１２０、床部の上面に被着し脱着自在に構成された上部箱体１１０を重ね構成される。
【００３２】
下部箱体の上面には、流出孔１３３ｂに向かうなだらかな下り勾配の上面板１３３を設け、上面の端部には高度処理ガスの流出口１３０ｂを設け、箱体下部には移動を容易とする車輪１３１を設け、カートリッジ装着孔２００、３００、５００には、脱着自在に構成された引き出し式カートリッジケース２０１、３０１、５０１を装着し、カートリッジ装着孔４００には、脱着自在に構成された引き出し式排気用ファンカートリッジ４０１を装着する。
【００３３】
下部箱体のカートリッジケース装着孔２００の側壁にはガス流出孔２００ｂを設け、カートリッジケース装着孔３００、５００側壁にはガス流入孔３００ａ、５００ａ、及びガス流出孔３００ｂ、５００ｂを設け、カートリッジ装着孔４００の側壁にはガス流入孔４００ａ及び流出孔４００ｂを設ける。
【００３４】
カートリッジ４０１は排気用ファン及び電源アダプターを内蔵し、カートリッジの外面に商用交流電気供給用ソケットと直流電気供給用ソケットを設ける。商用交流電気供給ソケットはスイッチ付とし、同ソケットにプラグを挿入すると直流電気供給ソケットから排気用ファンへの電気の供給は遮断され、商用交流電気が優先的に供給される。
【００３５】
カートリッジケース２０１にはカートリッジ式液体貯蔵タンク２１１を、カートリッジケース３０１にはカートリッジ式ガス処理層３１１を、カートリッジケース５０１にはカートリッジ式ガス処理層５１１を装着する。
【００３６】
カートリッジ式ガス処理層３１１及び５１１には、粒状またはブロック状のガス処理材を充填する。
【００３７】
下部箱体の上面に被着される通気・通水性の床部１２０は、通気・通水性の床面１２２の周囲に立ちあがりを設け、床面下部には補強リブ１２３を設ける。
【００３８】
補強リブ底面は下部箱体の上面板１３３の勾配に整合し、下部箱体に被着したときに、リブと上面板が接触することにより通気・通水性の床面の耐たわみ性を増加させる。
【００３９】
通気・通水性の床面１２２は多孔、すのこ、メッシュ等による小孔を設けて通気・通水性を持たせ、小孔はネコ砂粒子より十分小さくすることにより床部上にネコ砂を入れて使用することも可能とする。
【００４０】
床部１２０の上面の端部には流出孔１２０ｂを設け、下部箱体の流出孔１０３ｂから流出した処理ガスを整流して上部箱体内に戻す。
【００４１】
通気・通水性の床部の上面に被着する上部箱体１１０は中でペットが用便するための十分な広さを持ち、側面にペットが出入りすることのできる開口部１１２を設け、開口部には開放または自在に開閉する扉を設け、上部には取っ手１１１を設ける。
【００４２】
ペットの用便により生じた尿は、通気・通水性の床部を通過して上面板上に落下、排出孔１３３ｂへ流下して排出孔１３３ｂから落下する。
【００４３】
カートリッジ式液体貯留タンクの穴２１２は、排出孔１３３ｂの真下に配置され、排出孔１３３ｂより大きい寸法であることから尿は、カートリッジ式液体貯留タンク２１１に貯留される。
【００４４】
箱体内の臭気ガスは排気用ファンの稼動により吸引され、通気・通水性の床部を通過して排出孔１３３ｂから排出され、排出孔１３３ｂとカートリッジ式液体貯留タンクの穴２１２の隙間から流出孔２０１ｂ、２００ｂを通り流入孔３００ａ、３０１ａを経てガス処理槽３１１を通過して処理されて処理ガスとなり、流出孔３０１ｂ、３００ｂ、流入孔４００ａ、４０１ａを経て排気用ファンに至る。
【００４５】
排気用ファンから排出された処理ガスは、流出孔４０１ｂ、４００ｂ、流入孔５００ａ、５０１ａを経てガス処理槽５１１流入して高度処理されて高度処理ガスとなり、流出孔５０１ｂ、５００ｂを経て、流量配分弁１３２に至る。
【００４６】
高度処理ガスは、流量配分弁１３２により流出孔１３０ｂと流出孔１３０ｃに任意に配分される。
【００４７】
流出孔１３０ｂに分配された高度処理ガスは、流出孔１２０ｂで整流されて上部箱体内に戻され循環し、流出孔１３０ｃに分配された高度処理ガスは箱体外に排出される。
【００４８】
本発明の構造の箱体は、箱体内に臭気ガスが滞留しないことから、ペット用トイレの他、臭気ガスによる箱体内の汚染、臭気ガスの漏出による周辺汚染がないペット用小屋、ペットの飼育小屋として、また排気用ファンの駆動を直流電気の供給でも可能としたことから、臭気ガスによる箱体内の汚染と臭気ガスの漏出による周辺汚染がないペットの移動用ゲージとして有用である。
【００４９】
本発明によるペット用トイレは箱体内に臭気ガスが滞留せず、開口を大きくしても臭気ガスの排出機能を保持する構造であることから、同構造をもって臭気を発散する検体・試料の検査・試験をおこなう検査試験台として、またガス処理槽の充填物を適正に選択することにより、有害ガスを発散する試料の検査試験台として有用である。
【図面の簡単な説明】
【００５０】
【図１】は上部箱体の側方に開口部を設け、他端の上部から排気するときに生成される気流のベクトル線図である。
【図２】は上部箱体の側方に開口部を設け、通気・通水性の床面を通過させて排気するときに生成される気流のベクトル線図である。
【図３】は床面の上部を開放とし、床面の端部から排気するときに生成される気流のベクトル線図である。
【図４】は床面の上方を開放し、通気・通水性の床面を通過させて排気するときに生成される気流のベクトル線図である。
【図５】は上部箱体の側方に開口部を設け、通気・通水性の床面を通過させて排気し、床部の端から上部箱体に高度処理されたガスを戻し循環するときに生成される気流のベクトル線図である。
【図６】はペット用トイレの側面図である。
【図７】は通気・通水性の床部１２０の一部を切断した外観斜視図である。
【図８】（ａ）は、下部箱体１３０の上面図である。（ｂ）は、カートリッジ２０１の上面図である。（ｃ）は、カートリッジ３０１の上面図である。（ｄ）は、カートリッジ４０１の上面図である。（ｅ）は、カートリッジ５０１の上面図である。
【図１】
2006296288.tif 000003
【図２】
2006296288.tif 000004
【図３】
2006296288.tif 000005
【図４】
2006296288.tif 000006
【図５】
2006296288.tif 000007
【図６】
2006296288.tif 000008
【図７】
2006296288.tif 000009
【図８】
2006296288.tif 000010